(57)【要約】  本体（１）内でカード搬送部（５）により磁気カード（２０）を搬送して、磁気読み取り部（４）により磁気カード（２０）に記録された磁気情報を読み取るカード処理装置（１００）に、カード挿入排出口ユニット（１０）を備える。カード挿入排出口ユニット（１０）は、磁気カード（２０）を挿入および排出する開口（１０ｂ）と、妨害磁界を発生する磁界発生部（１１）とを備え、カード処理装置（１００）の本体（１）のカード入出口部（１ａ）に対して着脱可能になっている。
2014037974.tif 000002
【特許請求の範囲】
【請求項１】
カードを挿入および排出する開口と、
妨害磁界を発生する磁界発生部と、を備え、
カード処理装置の本体のカード入出口部に対して着脱可能になっている、ことを特徴とするカード挿入排出口ユニット。
【請求項２】
請求項１に記載のカード挿入排出口ユニットにおいて、
前記磁界発生部からの妨害磁界の発生および停止を制御する磁界制御部を、さらに備えた、ことを特徴とするカード挿入排出口ユニット。
【請求項３】
請求項１または請求項２に記載のカード挿入排出口ユニットにおいて、
前記磁界発生部は、ループアンテナを含み、
前記ループアンテナは、前記カード入出口部の周囲を囲んでいる、ことを特徴とするカード挿入排出口ユニット。
【請求項４】
請求項３に記載のカード挿入排出口ユニットにおいて、
前記ループアンテナは、樹脂で当該ユニット内に埋め込まれている、ことを特徴とするカード挿入排出口ユニット。
【請求項５】
請求項３または請求項４に記載のカード挿入排出口ユニットにおいて、
カード挿入方向から見て、
前記ループアンテナの外形寸法は、
横幅が、５６ｍｍ〜１１０ｍｍであり、
縦幅が、２ｍｍ〜１００ｍｍであり、
奥行きが、１ｍｍ〜４０ｍｍであり、
前記ループアンテナのループ部内の寸法は、
横幅が、５５ｍｍ〜１０９ｍｍであり、
縦幅が、１ｍｍ〜９９ｍｍであり、
奥行きが、１ｍｍ〜４０ｍｍである、ことを特徴とするカード挿入排出口ユニット。
【請求項６】
請求項３ないし請求項５のいずれかに記載のカード挿入排出口ユニットにおいて、
当該ユニット内に固定され、前記ループアンテナから放射される磁界の特性を変化させる磁界変更部材を、さらに備えた、ことを特徴とするカード挿入排出口ユニット。
【請求項７】
請求項６に記載のカード挿入排出口ユニットにおいて、
前記磁界変更部材は、前記ループアンテナから前記カード処理装置の本体側へ向かう磁界を吸収する、ことを特徴とするカード挿入排出口ユニット。
【請求項８】
請求項６または請求項７に記載のカード挿入排出口ユニットにおいて、
前記磁界変更部材は、前記ループアンテナから前記カード処理装置の本体と反対側へ向う磁界を増大させる、ことを特徴とするカード挿入排出口ユニット。
【請求項９】
請求項６ないし請求項８のいずれかに記載のカード挿入排出口ユニットにおいて、
前記磁界変更部材は、フェライト、パーマロイ、珪素鋼鈑、鉄、アルミニウム、またはステンレスから成る磁性体である、ことを特徴とするカード挿入排出口ユニット。
【請求項１０】
請求項６ないし請求項９のいずれかに記載のカード挿入排出口ユニットにおいて、
前記磁界変更部材は、前記カード入出口部に設けられたカード挿入検知センサを外側から覆っている、ことを特徴とするカード挿入排出口ユニット。
【請求項１１】
請求項１ないし請求項１０のいずれかに記載のカード挿入排出口ユニットと、
本体内でカードに記録された磁気情報を読み取る磁気読み取り部と、
本体内でカードを搬送するカード搬送部と、を備えた、ことを特徴とするカード処理装置。
【発明の詳細な説明】
【技術分野】
【０００１】
本発明は、カードを挿入および排出するカード挿入排出口ユニットと、該ユニットを備えたカード処理装置に関する。
【背景技術】
【０００２】
ＡＴＭ（現金自動預金支払機）などの取引処理装置には、磁気カードに対して情報の処理を行うカード処理装置が搭載されている。このカード処理装置は、カード挿入排出口から挿入された磁気カードを本体内に取り込んで、磁気カードの磁気ストライプに記録された磁気情報を磁気ヘッドで読み込む。そして、取引終了後に、磁気カードを本体内からカード挿入排出口へ排出する。【０００３】
ＡＴＭにおいて、磁気ヘッドを備えた偽のカード挿入排出口を有する不正装置を、正規のカード挿入排出口に被せるように設置して、磁気カードの磁気情報を不正に取得する、スキミングと呼ばれる犯罪がある。【０００４】
その対策として、たとえば特許文献１〜３に開示されているように、磁界発生部により正規のカード挿入排出口の近傍に磁界を発生させて、不正装置の磁気ヘッドで磁気カードの磁気情報が読み取られるのを妨害する技術がある。【０００５】
特許文献１〜３では、磁界発生部は、コイルやループアンテナから成り、カード処理装置の本体前面部や、該前面部に設置されたカード挿入口ユニット内に設置されている。磁界発生部の駆動を制御する制御部は、本体内に設置されている。【０００６】
カード挿入排出口は、露出していて、利用者に近い位置に配置されているため、不正な手段により破損され易い。また、カード挿入排出口の近傍にある磁界発生部も、不正な手段により破損され易い。しかしながら、カード挿入排出口や磁界発生部やこれらの周辺部分の保守作業を行うのは難しい。具体的には、カード挿入排出口や磁界発生部やこれらの近傍にあるセンサなどの交換、修理、および清掃などがし難い。
【先行技術文献】
【特許文献】
【０００７】
【特許文献１】特開２００１−６７５２４号公報
【特許文献２】特開２００５−２６６９９９号公報
【特許文献３】特開２０１１−１９２１８２号公報
【発明の概要】
【発明が解決しようとする課題】
【０００８】
本発明の課題は、磁気カードの磁気情報の不正な読み取りを防止しつつ、保守性を向上させたカード挿入排出口ユニットおよびカード処理装置を提供することである。
【課題を解決するための手段】
【０００９】
本発明によるカード挿入排出口ユニットは、カードを挿入および排出する開口と、妨害磁界を発生する磁界発生部と、を備え、カード処理装置の本体のカード入出口部に対して着脱可能になっている。【００１０】
また、本発明によるカード処理装置は、上記カード挿入排出口ユニットと、本体内でカードに記録された磁気情報を読み取る磁気読み取り部と、本体内でカードを搬送するカード搬送部とを備えている。【００１１】
上記によると、カード挿入排出口ユニットをカード処理装置の本体のカード入出口部に装着して、磁界発生部により妨害磁界を発生させることで、不正装置による磁気カードの磁気情報の不正な読み取り（スキミング）を防止することができる。また、カード挿入排出口ユニットをカード入出口部から離脱させることで、当該ユニット、磁界発生部、およびカード入出口部などの交換、修理、および清掃などの保守作業を容易に行える。よって、カード挿入排出口ユニットやカード処理装置の保守性を向上させることができる。【００１２】
また、本発明では、上記カード挿入排出口ユニットにおいて、磁界発生部からの妨害磁界の発生および停止を制御する磁界制御部を、さらに備えてもよい。【００１３】
これにより、カード挿入排出口ユニットにおいて、磁界制御部の保守性も向上させることができる。また、磁界発生部と磁界制御部を接近状態で配置して、最短の配線経路で接続することで、長い配線経路による不要な寄生回路の発生を低減することができる。加えて、磁界発生部と磁界制御部の間に高電圧が発生しても、感電などの危険性を抑制することができる。【００１４】
また、本発明では、上記カード挿入排出口ユニットにおいて、磁界発生部は、ループアンテナを含み、該ループアンテナは、カード入出口部の周囲を囲んでいてもよい。【００１５】
これにより、カード処理装置の本体のカード入出口部に対して、妨害磁界を発生させて、不正装置による磁気カードの磁気情報の不正な読み取りを防止することができる。【００１６】
また、本発明では、上記カード挿入排出口ユニットにおいて、ループアンテナは、樹脂で当該ユニット内に埋め込まれていてもよい。【００１７】
これにより、カード挿入排出口ユニットの開口や、該ユニットを覆う取引処理装置の筐体に不正に空けた穴を通して、棒状の異物が突っ込まれるなどの不正な手段で、ループアンテナが損傷したり変形したり位置ずれしたり取り外されたりするのを防止することができる。特に、ループアンテナがコイルから成る場合には、上記のような不正な手段による、コイルの変形や断線を有効に防止することができる。そして、ループアンテナから放射される妨害磁界の向きを変えたり、妨害磁界を停止させたりする不正を阻止して、ループアンテナからの妨害磁界の放射機能を安定に保持することが可能となる。【００１８】
また、本発明では、上記カード挿入排出口ユニットにおいて、カード挿入方向から見て、ループアンテナの外形寸法は、横幅が、５６ｍｍ〜１１０ｍｍであり、縦幅が、２ｍｍ〜１００ｍｍであり、奥行きが、１ｍｍ〜４０ｍｍであり、ループアンテナのループ部内の寸法は、横幅が、５５ｍｍ〜１０９ｍｍであり、縦幅が、１ｍｍ〜９９ｍｍであり、奥行きが、１ｍｍ〜４０ｍｍであってもよい。【００１９】
これにより、取り扱うカードの外形寸法やカード処理装置の各部の寸法に応じて、ループアンテナの寸法を設定することができる。また、ループアンテナの寸法に応じて、カード挿入排出口ユニットの寸法を設定することができる。【００２０】
また、本発明では、上記カード挿入排出口ユニットにおいて、当該ユニット内に固定され、ループアンテナから放射される磁界の特性を変化させる磁界変更部材を、さらに備えてもよい。【００２１】
これにより、ループアンテナから放射された妨害磁界の向きや大きさなどの特性を、磁界変更部材で変化させることができる。また、磁界変更部材がカード挿入排出口ユニット内に固定されているので、不正な手段で磁界変更部材が位置ずれしたり取り外されたりするのを防止することができる。【００２２】
また、本発明では、上記カード挿入排出口ユニットにおいて、磁界変更部材は、ループアンテナからカード処理装置の本体側へ向かう磁界を吸収してもよい。【００２３】
これにより、ループアンテナから放射された妨害磁界に指向性を付与して、該妨害磁界をカード処理装置の本体内に及び難くすることができる。このため、本体内に備わる磁気読み取り部による磁気カードの磁気情報の読み取り性能が、妨害磁界により劣化するのを防止することが可能となる。【００２４】
また、本発明では、上記カード挿入排出口ユニットにおいて、磁界変更部材は、ループアンテナからカード処理装置の本体と反対側へ向う磁界を増大させてもよい。【００２５】
これにより、ループアンテナから放射された妨害磁界に指向性を付与して、該妨害磁界をカード処理装置の本体内に及び難くすることができる。このため、本体内に備わる磁気読み取り部による磁気カードの磁気情報の読み取り性能が、妨害磁界により劣化するのを防止することが可能となる。【００２６】
また、本発明では、上記カード挿入排出口ユニットにおいて、磁界変更部材は、フェライト、パーマロイ、珪素鋼鈑、鉄、アルミニウム、またはステンレスから成る磁性体であってもよい。【００２７】
これにより、磁界変更部材の材質、大きさ、形状、および配置を適宜設定することで、ループアンテナから放射された妨害磁界の特性を任意に変化させることができる。また、剛性が高くなるように、磁界変更部材を形成することで、不正な手段で磁界変更部材が損傷したり変形したりするのを防止して、磁界変更機能を安定に保持することができる。【００２８】
さらに、本発明では、上記カード挿入排出口ユニットにおいて、磁界変更部材は、カード入出口部に設けられたカード挿入検知センサを外側から覆っていてもよい。【００２９】
これにより、不正な手段でカード挿入検知センサが損傷したり変形したりするのを、磁界変更部材により阻止することができる。また、ループアンテナからカード挿入検知センサへ向かう磁界を減少させることができる。このため、カード挿入検知センサが磁気ヘッドから成る場合には、該磁気ヘッドによる磁気カードの磁気情報の検知性能が劣化するのを防止することが可能となる。
【発明の効果】
【００３０】
本発明によれば、磁気カードの磁気情報の不正な読み取りを防止しつつ、保守性を向上させたカード挿入排出口ユニットおよびカード処理装置を提供することが可能となる。
【図面の簡単な説明】
【００３１】
【図１】図１は、本発明の実施形態によるカード処理装置の電気ブロック図である。
【図２】図２は、図１のカード処理装置の概略構造図である。
【図３】図３は、図１のカード処理装置の本体とカード挿入排出口ユニットの分離図である。
【図４】図４は、図１のカード処理装置の組立図である。
【図５】図５は、本発明の第１実施形態によるカード挿入排出口ユニットの斜視図である。
【図６】図６は、本発明の第１実施形態によるループアンテナの斜視図である。
【図７】図７は、本発明の第２実施形態によるカード挿入排出口ユニットの斜視図である。
【図８】図８は、本発明の第２実施形態による磁界変更部材の斜視図である。
【図９】図９は、本発明の第２実施形態によるカード処理装置のカード挿入排出口ユニット近傍の構造図である。
【図１０】図１０は、本発明の他の実施形態によるカード処理装置のカード挿入排出口ユニット近傍の構造図である。
【図１１】図１１は、本発明の他の実施形態によるアンテナの配置例を示した図である。
【発明を実施するための形態】
【００３２】
以下、本発明の実施形態につき、図面を参照しながら説明する。各図において、同一の部分または対応する部分には、同一符号を付してある。
【００３３】
まず、本発明の実施形態によるカード処理装置１００の構成を、図１および図２を参照しながら説明する。
【００３４】
カード処理装置１００は、たとえば、金融機関に設置されたＡＴＭに搭載される。カード処理装置１００は、顧客が所有する磁気カード２０（図２）を受け付けて、磁気カード２０の磁気ストライプに記録された磁気情報を読み取るカードリーダから構成されている。
【００３５】
カード処理装置１００は、本体１とカード挿入排出口ユニット１０を備えている。本体１には、制御部２、記憶部３、磁気読み取り部４、カード搬送部５、カード位置検知センサ６、ホストインタフェイス７、カード挿入検知センサ８、およびシャッタ駆動部９が備わっている。
【００３６】
制御部２、記憶部３、磁気読み取り部４、カード搬送部５、カード位置検知センサ６、およびホストインタフェイス７は、本体１の内部に設けられている。カード挿入検知センサ８およびシャッタ駆動部９は、本体１の外側部に設けられている。
【００３７】
制御部２は、マイクロコンピュータから構成され、各部の動作を制御する。記憶部３は、メモリから構成され、各種の情報を記憶している。磁気読み取り部４は、磁気ヘッド４ａ（図２）と、該磁気ヘッド４ａを駆動するための回路（図示省略）から構成されている。磁気読み取り部４は、本体１内で磁気ヘッド４ａにより磁気カード２０の磁気ストライプから磁気情報を読み取る。
【００３８】
カード搬送部５は、複数のローラ５ａ（図２）と、該ローラ５ａを回転させるためのモータや回路（図示省略）から構成されている。カード搬送部５は、本体１内でローラ５ａ間に磁気カード２０を挟み込み、モータの駆動力でローラ５ａを回転させて、磁気カード２０を往復搬送する。
【００３９】
カード位置検知センサ６は、複数の光センサ６ａ（図２）から構成されている。制御部２は、各カード位置検知センサ６の出力状態に基づいて、本体１内における磁気カード２０の位置を検知する。ホストインタフェイス７は、ＡＴＭに対して情報を送受信する回路から構成されている。
【００４０】
カード挿入検知センサ８は、マイクロスイッチ８ａ（図２）および小型磁気ヘッド８ｂ（図２）から構成されている。制御部２は、カード挿入検知センサ８の出力状態に基づいて、カード挿入排出口ユニット１０への磁気カード２０の挿入を検知する。シャッタ駆動部９は、シャッタ９ａ（図２）を開閉させるためのソレノイドや回路（図示省略）から構成されている。
【００４１】
カード挿入排出口ユニット１０には、磁界発生部１１と磁界制御部１３が備わっている。磁界発生部１１には、ループアンテナ１２と、ループアンテナ１２を駆動するための回路（図示省略）が含まれている。磁界発生部１１は、ループアンテナ１２に電流を流すことにより、ループアンテナ１２から妨害磁界を放射させる。
【００４２】
磁界制御部１３は、マイクロコンピュータから構成されている。磁界制御部１３は、磁界発生部１１のループアンテナ１２からの妨害磁界の発生および停止を制御する。
【００４３】
次に、第１実施形態によるカード挿入排出口ユニット１０の構造と、該ユニット１０を取り付けるカード処理装置１００の要部の構造を、図３〜図６を参照しながら説明する。適宜、図１および図２も参照する。なお、図５では、カード挿入排出口ユニット１０の裏側から見た斜視図を（ａ）に示し、一部破断斜視図を（ｂ）に示している。後述する図７も同様である。
【００４４】
図３に示すように、カード処理装置１００の本体１の前面１ｆには、カード入出口部１ａが設けられている。カード入出口部１ａは、前方（図３でＴ方向）へ突出していて、中央に入出口１ｂが形成されている。入出口１ｂは、図２に示すように、本体１内に連通している。磁気カード２０は、入出口１ｂを通って、本体１内に対して入出する。
【００４５】
カード入出口部１ａの両側部には、図３に示すように、ねじ孔１ｃが形成されている。入出口１ｂとねじ孔１ｃの奥行き方向は、カード挿入方向Ｓと平行である。
【００４６】
カード入出口部１ａの先端の凸部１ｅには、マイクロスイッチ８ａと小型磁気ヘッド８ｂが設けられている。マイクロスイッチ８ａのアクチュエータ８ｃは、図３で左側から入出口１ｂ内に突出している。入出口１ｂに挿入された磁気カード２０の側縁がアクチュエータ８ｃに当接することで、マイクロスイッチ８ａはＯＮ状態になり、所定の幅のカードが挿入されたことが検知される。
【００４７】
小型磁気ヘッド８ｂは、下方から入出口１ｂ内に突出している。入出口１ｂに挿入された磁気カード２０の磁気ストライプを検出することで、小型磁気ヘッド８ｂは磁気情報が記録されたカードが挿入されたことを検知する。なお、小型磁気ヘッド８ｂは、ループアンテナ１２の妨害磁界の影響を受けるおそれがあるが、磁気カード２０の磁気情報を正確に読み取れなくても、磁気情報を所定のレベルで検知できればよいので、該検知性能に支障はない。
【００４８】
シャッタ駆動部９（図１）の駆動力により、シャッタ９ａを上下動させることにより、入出口１ｂが開放または閉鎖される。図２では、シャッタ９ａが下降して、入出口１ｂを開放した状態を示している。シャッタ９ａが上昇して、入出口１ｂを閉鎖した状態は、後述の図９に示している。
【００４９】
図３に示すように、カード挿入排出口ユニット１０の中央には、磁気カード２０を挿入および排出する開口１０ｂが形成されている。カード挿入排出口ユニット１０の両側部には、貫通孔１０ｃが形成されている。開口１０ｂと貫通孔１０ｃの奥行き方向は、カード挿入方向Ｓと平行になっている。
【００５０】
図５（ａ）に示すように、カード挿入排出口ユニット１０の裏側には、凹部１０ａが形成されている。凹部１０ａは、開口１０ｂと連通している。凹部１０ａの大きさは、図３に示すカード入出口部１ａの先端の凸部１ｅの大きさより大きくなっている。
【００５１】
カード挿入排出口ユニット１０には、図５に示すように、ループアンテナ１２が設けられている。ループアンテナ１２は、ループ部１２ａで凹部１０ａの周囲を取り囲むように、樹脂１４ａ、１４ｂでカード挿入排出口ユニット１０内に埋め込まれている。
【００５２】
詳しくは、樹脂１４ａは、熱可塑性を有する合成樹脂であり、カード挿入排出口ユニット１０のフレームを構成している。樹脂１４ｂは、短時間で硬化するエポキシなどの合成樹脂である。樹脂１４ａで形成された装着部１０ｓ（図５（ｂ））にループアンテナ１２を装着した後、該ループアンテナ１２を覆うように、硬化前の樹脂１４ｂを塗布する。そして、樹脂１４ｂを硬化させることで、ループアンテナ１２がカード挿入排出口ユニット１０内に埋設される。
【００５３】
ループアンテナ１２は、図６に示すような、銅線を巻き付けた空芯のコイルから構成されている。カード挿入方向Ｓから見た、ループアンテナ１２の外形寸法は、横幅Ｗ１が、５６ｍｍ〜１１０ｍｍであり、縦幅Ｈ１が、２ｍｍ〜１００ｍｍであり、奥行きＤ１が、１ｍｍ〜４０ｍｍである。また、ループアンテナ１２のループ部１２ａ内の寸法は、横幅Ｗ２が、５５ｍｍ〜１０９ｍｍであり、縦幅Ｈ２が、１ｍｍ〜９９ｍｍであり、奥行きＤ２が、１ｍｍ〜４０ｍｍである。磁気カード２０、カード処理装置１００、およびＡＴＭの各部の寸法を考慮して、上記範囲からループアンテナ１２の寸法を設定する。
【００５４】
図３に示すように、カード挿入排出口ユニット１０の上部には、カード挿入方向Ｓへ突出するように、基板収納部１０ｄが設けられている。基板収納部１０ｄ内には、図５（ａ）に示すように、基板１５が固定されている。基板１５には、ループアンテナ１２のリード１２ｂ、図１の磁界発生部１１の回路、および磁界制御部１３が実装されている。基板１５とループアンテナ１２は、最短の配線経路で接続されている。
【００５５】
次に、カード処理装置１００の本体１へのカード挿入排出口ユニット１０の着脱方法と、カード処理装置１００の動作を、図１〜図５を参照しながら説明する。
【００５６】
図３に示す分離状態から、カード入出口部１ａの凸部１ｅとカード挿入排出口ユニット１０の凹部１０ａ（図５（ａ））とを嵌め合わせる。すると、カード入出口部１ａの各ねじ孔１ｃとカード挿入排出口ユニット１０の各貫通孔１０ｃとが連通する。このため、図示しないドライバなどにより、ねじ１６を各貫通孔１０ｃへ通して各ねじ孔１ｃに螺合することで、図４に示すように、カード挿入排出口ユニット１０が本体１のカード入出口部１ａに装着されて、固定状態となる。
【００５７】
また、図３に示すように、本体１から露出するハーネス１８のコネクタ１８ａを、カード挿入排出口ユニット１０の基板１５に実装されたコネクタ１８ｂに、図４に示すように嵌合する。すると、本体１とカード挿入排出口ユニット１０とが電気的に接続される。
【００５８】
図２および図４に示す、カード挿入排出口ユニット１０の装着状態では、該ユニット１０が、カード入出口部１ａ、マイクロスイッチ８ａ、および小型磁気ヘッド８ｂを外側から覆っている。また、ループアンテナ１２のループ部１２ａが、カード入出口部１ａの周囲を囲んでいる。
【００５９】
さらに、カード挿入排出口ユニット１０の開口１０ｂと、カード入出口部１ａの入出口１ｂとが連通している。このため、磁気カード２０を開口１０ｂからＳ方向に挿入することで、磁気カード２０が入出口１ｂを通って、本体１内に進入して行く。
【００６０】
その際、マイクロスイッチ８ａおよび小型磁気ヘッド８ｂにより磁気カード２０の挿入を検知すると、図１に示す制御部２が、磁界制御部１３に磁界発生指令を送信する。磁界制御部１３は、磁界発生指令を受信すると、磁界発生部１１によりループアンテナ１２から妨害磁界を放射させる。
【００６１】
他の例として、利用者がＡＴＭの前に立ったときに、ＡＴＭからカード処理装置１００に起動指令が送信される。そして、該起動指令をホストインタフェイス７により受信した制御部２が、磁界制御部１３に磁界発生指令を送信し、磁界発生部１１により妨害磁界を放射させてもよい。この場合、カード挿入排出口ユニット１０への磁気カード２０の挿入前から、または挿入と同時に、磁界発生部１１により妨害磁界が放射される。
【００６２】
そして、カード位置検知センサ６（図１）により本体１内に磁気カード２０が取り込まれたことを検知すると、制御部２が、カード搬送部５（図１）により磁気カード２０を搬送し、かつ、磁界制御部１３に磁界停止指令を送信する。磁界制御部１３は、磁界停止指令を受信すると、磁界発生部１１によりループアンテナ１２からの妨害磁界の放射を停止させる。他の例として、妨害磁界を所定時間放射した後、停止してもよい。
【００６３】
この後、カード搬送部５により磁気カード２０が搬送されながら、磁気読み取り部４（図１）により磁気カード２０の磁気情報が読み取られる。そして、磁気カード２０に対する処理が完了すると、カード搬送部５により磁気カード２０が、カード入出口部１ａを通してカード挿入排出口ユニット１０へ搬送され、開口１０ｂからＴ方向（図２）に排出される。このカード排出時に、磁界制御部１３が、磁界発生部１１によりループアンテナ１２から妨害磁界を放射させてもよい。
【００６４】
カード処理装置１００の保守時には、図４の装着状態から、ドライバなどにより、ねじ１６を各ねじ孔１ｃと各貫通孔１０ｃから外すことで、カード挿入排出口ユニット１０は本体１のカード入出口部１ａから離脱可能となる。また、コネクタ１８ａをコネクタ１８ｂから抜くことで、本体１とカード挿入排出口ユニット１０とが電気的に切断される。
【００６５】
上記第１実施形態によると、開口１０ｂと磁界発生部１１を備えたカード挿入排出口ユニット１０が、カード処理装置１００の本体１のカード入出口部１ａに対して着脱可能になっている。このため、カード挿入排出口ユニット１０をカード入出口部１ａに装着して、磁界発生部１１により妨害磁界を発生させることで、不正装置による磁気カード２０の磁気情報の不正な読み取り（スキミング）を防止することができる。
【００６６】
また、カード挿入排出口ユニット１０をカード入出口部１ａから離脱させることで、当該ユニット１０、磁界発生部１１、カード入出口部１ａ、カード挿入検知センサ８、およびシャッタ駆動部９などの交換、修理、および清掃などの保守作業を容易に行える。よって、カード挿入排出口ユニット１０やカード処理装置１００の保守性を向上させることができる。
【００６７】
また、カード挿入排出口ユニット１０に磁界制御部１３が設けられているので、磁界制御部１３の保守性も向上させることができる。また、磁界発生部１１のループアンテナ１２と駆動回路と磁界制御部１３を接近状態で配置して、最短の配線経路で接続することで、長い配線経路による不要な寄生回路の発生を低減することができる。加えて、磁界発生部１１と磁界制御部１３の間に高電圧が発生しても、感電などの危険性を抑制することができる。
【００６８】
また、ループアンテナ１２がカード入出口部１ａの周囲を囲んでいる。このため、カード入出口部１ａに対して、妨害磁界を発生させて、不正装置による磁気カード２０の磁気情報の不正な読み取りを防止することができる。
【００６９】
また、ループアンテナ１２が樹脂１４ａ、１４ｂでカード挿入排出口ユニット１０内に埋め込まれている。このため、開口１０ｂやＡＴＭの筐体に不正に空けた穴を通して、カード挿入排出口ユニット１０内に棒状の異物が突っ込まれても、該不正な手段でループアンテナ１２が損傷したり変形したり位置ずれしたり取り外されたりするのを防止することができる。特に、本実施形態のように、ループアンテナ１２がコイルから成る場合には、上記のような不正な手段による、コイルの変形や断線を有効に防止することができる。
【００７０】
そして、ループアンテナ１２から放射される妨害磁界の向きを変えたり、妨害磁界を停止させたりする不正を阻止して、ループアンテナ１２からの妨害磁界の放射機能を安定に保持することが可能となる。
【００７１】
さらに、ループアンテナ１２の外形寸法やループ部１２ａ内の寸法を、前記のように選定することで、取り扱うカードの外形寸法やカード処理装置１００の各部の寸法に応じて、ループアンテナ１２の寸法を設定することができる。
【００７２】
次に、第２実施形態によるカード挿入排出口ユニット１０の構造を、図７〜図９を参照しながら説明する。適宜、図４も参照する。
【００７３】
第２実施形態では、前述した第１実施形態の構成に加えて、図７に示すように、カード挿入排出口ユニット１０に一対の磁界変更部材１７ａ、１７ｂを備えている。磁界変更部材１７ａ、１７ｂは、フェライト、パーマロイ、珪素鋼鈑、鉄、アルミニウム、またはステンレスから成る磁性体であり、図８に示すような形状に形成されている。
【００７４】
磁界変更部材１７ａ、１７ｂの水平部１７ｃを、図７に示すように、カード挿入排出口ユニット１０の凹部１０ａ内に挿入して、爪１０ｇで保持する。また、磁界変更部材１７ａ、１７ｂのロック爪１７ｄを、カード挿入排出口ユニット１０のロック孔１０ｈに嵌合する。これにより、磁界変更部材１７ａ、１７ｂが、カード挿入排出口ユニット１０内に固定される。
【００７５】
このような、磁界変更部材１７ａ、１７ｂを備えたカード挿入排出口ユニット１０を、図４に示すように、カード処理装置１００の本体１のカード入出口部１ａに装着して、ねじ１６で固定する。すると、図９に示すように、磁界変更部材１７ａ、１７ｂの水平部１７ｃがカード入出口部１ａを上下方向から覆う。ループアンテナ１２と本体１との間には、磁界変更部材１７ａ、１７ｂの垂直部１７ｆが介在する。
【００７６】
磁界変更部材１７ｂの切欠き部１７ｅ（図７）には、小型磁気ヘッド８ｂが嵌まり込む（図示省略）。磁界変更部材１７ａの切欠き部１７ｇには、図示しない他の部品が嵌まり込む（図示省略）。
【００７７】
磁界変更部材１７ａ、１７ｂは、ループアンテナ１２から放射される磁界の特性（分布）を変化させる。詳しくは、磁界変更部材１７ａ、１７ｂの垂直部１７ｆが、ループアンテナ１２から本体１側へ向かう磁界を吸収する。また、磁界変更部材１７ａ、１７ｂの水平部１７ｃが、ループアンテナ１２から本体１と反対側へ向う磁界を増大させる。
【００７８】
上記第２実施形態によると、ループアンテナ１２から放射された妨害磁界の向きや大きさなどの特性を、磁界変更部材１７ａ、１７ｂで変化させることができる。特に、磁界変更部材１７ａ、１７ｂの垂直部１７ｆや水平部１７ｃにより、ループアンテナ１２から放射された妨害磁界に指向性を付与して、該妨害磁界をカード処理装置１００の本体１内に及び難くすることができる。このため、本体１内に備わる磁気ヘッド４ａによる磁気カード２０の磁気情報の読み取り性能が、妨害磁界により劣化するのを防止することが可能となる。
【００７９】
また、磁界変更部材１７ａ、１７ｂの材質、大きさ、形状、および配置を適宜設定することで、ループアンテナ１２から放射された妨害磁界の特性を任意に変化させることができる。
【００８０】
また、磁界変更部材１７ａ、１７ｂが、カード挿入排出口ユニット１０内に固定されている。このため、該ユニット１０の開口１０ｂやＡＴＭの筐体に不正に空けた穴を通して、棒状の異物が突っ込まれるなどの不正な手段で、磁界変更部材１７ａ、１７ｂが位置ずれしたり取り外されたりするのを防止することができる。
【００８１】
さらに、剛性が高くなるように、磁界変更部材１７ａ、１７ｂを形成することで、不正な手段で磁界変更部材１７ａ、１７ｂが損傷したり変形したりするのを防止して、磁界変更機能を安定に保持することができる。
【００８２】
本発明は、以上述べた実施形態以外にも、種々の実施形態を採用することができる。たとえば、第２実施形態では、小型磁気ヘッド８ｂとの衝突を避けるために、磁界変更部材１７ｂに切欠き部１７ｅを設けた例を示したが、本発明はこれのみに限定するものではない。これ以外に、磁界変更部材１７ｂから切欠き部１７ｅを省略して、たとえば図１０に示すように、磁界変更部材１７ｂで小型磁気ヘッド８ｂを外側から覆ってもよい。
【００８３】
これにより、不正な手段でカード挿入検知用の小型磁気ヘッド８ｂが損傷したり変形したりするのを、磁界変更部材１７ｂで阻止することができる。また、ループアンテナ１２から小型磁気ヘッド８ｂへ向かう磁界を減少させて、小型磁気ヘッド８ｂの磁気検知性能の劣化を防止することができる。なお、磁界変更部材１７ａの切欠き部１７ｇ（図８）も省略してもよい。
【００８４】
また、以上の実施形態では、カード挿入排出口ユニット１０の開口１０ｂや本体１のカード入出口部１ａの周囲を、ループアンテナ１２で囲んだ例を示したが、本発明はこれのみに限定するものではない。これ以外に、たとえば、図１１（ａ）および（ｂ）に斜線で示すように、カード挿入排出口ユニット１０内のカード入出口部１ａより上部Ａ１、下部Ａ２、左側部Ａ３、右側部Ａ４、または前部Ａ５のうち、いずれか１箇所または複数箇所に、１つまたは複数の磁界放射用のアンテナ１２’を設けてもよい。
【００８５】
また、磁界放射用のアンテナ１２、１２’は、コイルから成るループアンテナに限らず、たとえば、棒状や板状や湾曲状に形成された他の形態のアンテナであってもよい。さらに、アンテナ１２、１２’をカード挿入排出口ユニット１０内に樹脂で埋設せずに、磁界変更部材１７ａ、１７ｂのようにロック嵌合で固定したり、ねじや接着剤などの固定部材で固定したりしてもよい。
【００８６】
また、以上の実施形態では、カード挿入排出口ユニット１０を、ねじ１６によりカード入出口部１ａに着脱可能に装着した例を挙げたが、本発明はこれのみに限定するものではない。たとえば、カード挿入排出口ユニット１０とカード入出口部１ａの一方に設けたフック片（図示省略）を、他方に設けた凹部や切欠きなど（図示省略）に係合することにより、カード挿入排出口ユニット１０をカード入出口部１ａに着脱可能に装着してもよい。
【００８７】
さらに、以上の実施形態では、磁気カード専用のカード処理装置１００およびカード挿入排出口ユニット１０に、本発明を適用した。然るに、本発明はこれ以外にも、たとえば磁気カード、ＩＣカード、および磁気ストライプ付ＩＣカードのいずれをも取り扱うことのできるカード処理装置およびカード挿入排出口ユニットに適用することが可能である。
【符号の説明】
【００８８】
１  本体
１ａ  カード入出口部
４  磁気読み取り部
４ａ  磁気ヘッド
５  カード搬送部
８  カード挿入検知センサ
８ｂ  小型磁気センサ
１０  カード挿入排出口ユニット
１０ｂ  開口
１１  磁界発生部
１２  ループアンテナ
１３  磁界制御部
１４ａ、１４ｂ  樹脂
１７ａ、１７ｂ  磁界変更部材
２０  磁気カード
１００  カード処理装置
Ｄ１  ループアンテナの外形の奥行き
Ｄ２  ループアンテナのループ部内の奥行き
Ｈ１  ループアンテナの外形の縦幅
Ｈ２  ループアンテナのループ部内の縦幅
Ｓ  カード挿入方向
Ｗ１  ループアンテナの外形の横幅
Ｗ２  ループアンテナのループ部内の横幅
【図１】
2014037974.tif 000003
【図２】
2014037974.tif 000004
【図３】
2014037974.tif 000005
【図４】
2014037974.tif 000006
【図５】
2014037974.tif 000007
【図６】
2014037974.tif 000008
【図７】
2014037974.tif 000009
【図８】
2014037974.tif 000010
【図９】
2014037974.tif 000011
【図１０】
2014037974.tif 000012
【図１１】
2014037974.tif 000013
【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
カードを挿入および排出する開口と、
カード挿入方向に向って前記開口の裏側に設けられ、前記開口と連通する凹部と、
妨害磁界を発生する磁界発生部と、を備え、
カード処理装置の本体に設けられた前方へ突出するカード入出口部の先端の凸部と、前記凹部とを嵌め合わせることによって、前記カード入出口部に対して着脱可能になっている、ことを特徴とするカード挿入排出口ユニット。
【請求項２】
請求項１に記載のカード挿入排出口ユニットにおいて、
前記磁界発生部からの妨害磁界の発生および停止を制御する磁界制御部を、さらに備えた、ことを特徴とするカード挿入排出口ユニット。
【請求項３】
請求項１または請求項２に記載のカード挿入排出口ユニットにおいて、
前記磁界発生部は、ループアンテナを含み、
前記ループアンテナは、前記カード入出口部の周囲を囲んでいる、ことを特徴とするカード挿入排出口ユニット。
【請求項４】
請求項３に記載のカード挿入排出口ユニットにおいて、
前記ループアンテナは、樹脂で当該ユニット内に埋め込まれている、ことを特徴とするカード挿入排出口ユニット。
【請求項５】
請求項３または請求項４に記載のカード挿入排出口ユニットにおいて、
カード挿入方向から見て、
前記ループアンテナの外形寸法は、
横幅が、５６ｍｍ〜１１０ｍｍであり、
縦幅が、２ｍｍ〜１００ｍｍであり、
奥行きが、１ｍｍ〜４０ｍｍであり、
前記ループアンテナのループ部内の寸法は、
横幅が、５５ｍｍ〜１０９ｍｍであり、
縦幅が、１ｍｍ〜９９ｍｍであり、
奥行きが、１ｍｍ〜４０ｍｍである、ことを特徴とするカード挿入排出口ユニット。
【請求項６】
請求項３ないし請求項５のいずれかに記載のカード挿入排出口ユニットにおいて、
当該ユニット内に固定され、前記ループアンテナから放射される磁界の特性を変化させる磁界変更部材を、さらに備えた、ことを特徴とするカード挿入排出口ユニット。
【請求項７】
請求項６に記載のカード挿入排出口ユニットにおいて、
前記磁界変更部材は、前記ループアンテナから前記カード処理装置の本体側へ向かう磁界を吸収する、ことを特徴とするカード挿入排出口ユニット。
【請求項８】
請求項６または請求項７に記載のカード挿入排出口ユニットにおいて、
前記磁界変更部材は、前記ループアンテナから前記カード処理装置の本体と反対側へ向う磁界を増大させる、ことを特徴とするカード挿入排出口ユニット。
【請求項９】
請求項６ないし請求項８のいずれかに記載のカード挿入排出口ユニットにおいて、
前記磁界変更部材は、フェライト、パーマロイ、珪素鋼鈑、鉄、アルミニウム、またはステンレスから成る磁性体である、ことを特徴とするカード挿入排出口ユニット。
【請求項１０】
請求項６ないし請求項９のいずれかに記載のカード挿入排出口ユニットにおいて、
前記磁界変更部材は、前記カード入出口部に設けられたカード挿入検知センサを外側から覆っている、ことを特徴とするカード挿入排出口ユニット。
【請求項１１】
請求項１ないし請求項１０のいずれかに記載のカード挿入排出口ユニットと、
本体内でカードに記録された磁気情報を読み取る磁気読み取り部と、
本体内でカードを搬送するカード搬送部と、を備えた、ことを特徴とするカード処理装置。
【手続補正書】
【提出日】平成27年11月25日(2015.11.25)
【手続補正１】
【補正対象書類名】特許請求の範囲
【補正対象項目名】全文
【補正方法】変更
【補正の内容】
【特許請求の範囲】
【請求項１】
カードを挿入および排出する開口と、
カード挿入方向に向って前記開口の裏側に設けられ、前記開口と連通する凹部と、
妨害磁界を発生する磁界発生部と、
前記磁界発生部を保護し補強する二種類の樹脂部材と、を備え、
カード処理装置の本体に設けられた前方へ突出するカード入出口部の先端の凸部と、前記凹部とを嵌め合わせることによって、前記カード入出口部に対して着脱可能になっている、ことを特徴とするカード挿入排出口ユニット。
【請求項２】
請求項１に記載のカード挿入排出口ユニットにおいて、
前記磁界発生部からの妨害磁界の発生および停止を制御する磁界制御部を、さらに備えた、ことを特徴とするカード挿入排出口ユニット。
【請求項３】
請求項１または請求項２に記載のカード挿入排出口ユニットにおいて、
前記磁界発生部は、ループアンテナを含み、
前記ループアンテナは、前記カード入出口部の周囲を囲んでいる、ことを特徴とするカード挿入排出口ユニット。
【請求項４】
請求項３に記載のカード挿入排出口ユニットにおいて、
前記二種類の樹脂部材は、当該カード挿入口ユニットのフレームを構成する第一の樹脂部材と、前記フレームに装着した前記ループアンテナを覆うように塗布した後に硬化させる第二の樹脂部材とからなり、
前記ループアンテナは、前記第二の樹脂部材で当該ユニット内に埋め込まれている、ことを特徴とするカード挿入排出口ユニット。
【請求項５】
請求項３または請求項４に記載のカード挿入排出口ユニットにおいて、
カード挿入方向から見て、
前記ループアンテナの外形寸法は、
横幅が、５６ｍｍ〜１１０ｍｍであり、
縦幅が、２ｍｍ〜１００ｍｍであり、
奥行きが、１ｍｍ〜４０ｍｍであり、
前記ループアンテナのループ部内の寸法は、
横幅が、５５ｍｍ〜１０９ｍｍであり、
縦幅が、１ｍｍ〜９９ｍｍであり、
奥行きが、１ｍｍ〜４０ｍｍである、ことを特徴とするカード挿入排出口ユニット。
【請求項６】
請求項３ないし請求項５のいずれかに記載のカード挿入排出口ユニットにおいて、
当該ユニット内に固定され、前記ループアンテナから放射される磁界の特性を変化させる磁界変更部材を、さらに備えた、ことを特徴とするカード挿入排出口ユニット。
【請求項７】
請求項６に記載のカード挿入排出口ユニットにおいて、
前記磁界変更部材は、前記ループアンテナから前記カード処理装置の本体側へ向かう磁界を吸収する、ことを特徴とするカード挿入排出口ユニット。
【請求項８】
請求項６または請求項７に記載のカード挿入排出口ユニットにおいて、
前記磁界変更部材は、前記ループアンテナから前記カード処理装置の本体と反対側へ向う磁界を増大させる、ことを特徴とするカード挿入排出口ユニット。
【請求項９】
請求項６ないし請求項８のいずれかに記載のカード挿入排出口ユニットにおいて、
前記磁界変更部材は、フェライト、パーマロイ、珪素鋼鈑、鉄、アルミニウム、またはステンレスから成る磁性体である、ことを特徴とするカード挿入排出口ユニット。
【請求項１０】
請求項６ないし請求項９のいずれかに記載のカード挿入排出口ユニットにおいて、
前記磁界変更部材は、前記カード入出口部に設けられたカード挿入検知センサを外側から覆っている、ことを特徴とするカード挿入排出口ユニット。
【請求項１１】
請求項１ないし請求項１０のいずれかに記載のカード挿入排出口ユニットと、
本体内でカードに記録された磁気情報を読み取る磁気読み取り部と、
本体内でカードを搬送するカード搬送部と、を備えた、ことを特徴とするカード処理装置。
【国際調査報告】
2014037974.tif 000014
2014037974.tif 000015